(57)【特許請求の範囲】
【請求項１】
１つの制御チャネル及び少なくとも２つ以上の通信チャネルを有するＩＳＤＮ回線を介してＩＳＤＮ網に接続され前記ＩＳＤＮ網を介するデータ通信及び通話が可能であるとともに、前記ＩＳＤＮ回線及びＩＳＤＮ網を介してインタネットに接続され前記インタネットを介するデータ通信及びＶｏＩＰ通話が可能な端末装置であって、
インタネットに接続される第１の装置と前記ＩＳＤＮ回線の２つの通信チャネルを用いたマルチリンク通信中に、インタネットに接続される第２の装置とＶｏＩＰ通話を行うための通話要求が発生すると、前記マルチリンク通信の使用帯域を検出するとともに、この検出結果に基づき前記第２の装置とのＶｏＩＰ通話に必要な空き帯域が確保可能か否かを判定する判定手段と、
前記判定手段の判定結果に基づいて前記ＩＳＤＮ回線の通信チャネルを制御する制御手段と
を有し、
前記制御手段は、前記判定手段により前記第２の装置とのＶｏＩＰ通話に必要な空き帯域が確保不可能と判定されると、前記ＩＳＤＮ回線の一方の通信チャネルを切断するとともに、この一方の通信チャネルを用いて前記第２の装置のインタネットアドレスを示すＩＰアドレスを前記ＩＳＤＮ網とインタネットとを接続するＩＳＰサーバに送って、他方の通信チャネルを介する第１の装置との間のデータ通信と、前記一方の通信チャネルを介する第２の装置との間のＶｏＩＰ通話とを可能にすることを特徴とする端末装置。
【請求項２】
請求項１において、
前記第２の装置のＩＰアドレスの有無を検出する検出手段と、
前記検出手段により第２の装置のＩＰアドレスが検出されない場合は、前記第１の装置との間の一方の通信チャネルを切断するとともに、前記制御チャネルを介して前記第２の装置にアクセスし前記ＩＰアドレスを取得する取得手段と
を有することを特徴とする端末装置。
【発明の詳細な説明】
【０００１】
【発明の属する技術分野】
本発明は、ＩＳＤＮ網を介するデータ通信や通話が可能であるとともに、ＩＳＤＮ網を介してインタネットに接続されインタネットを介するＶｏＩＰ通話が可能な端末装置に関する。
【０００２】
【従来の技術】
一般にこの種の端末装置は、１つのＤチャネルと２つのＢチャネルを有するＩＳＤＮ回線に接続され、それぞれ２つのＢチャネルを介して一方及び他方の相手端末と同時に通話が可能であるとともに、一方のＢチャネルを介して一方の相手端末と通話中に他方のＢチャネルを介して他方の相手端末との間でデータ通信が可能になっている。
【０００３】
また、この種の端末装置は、２つのＢチャネルを介して同一の相手端末とデータ通信が可能になっている。一般に、ＩＳＤＮ回線の１つのＢチャネルでは６４Ｋｂｐｓのデータ通信が可能であることから、こうした２つのＢチャネルを用いて１２８Ｋｂｐｓ（６４Ｋｂｐｓ＋６４Ｋｂｐｓ）のデータ通信が可能である。このような２つのＢチャネルを用いた通信をマルチリンク通信という。
【０００４】
【発明が解決しようとする課題】
ところで、近年はインタネットを介して通話が可能な、ＶｏＩＰ（Ｖｏｉｃｅｏｖｅｒ  Ｉｎｔｅｒｎｅｔ  Ｐｒｏｔｏｃｏｌ）端末と呼ばれる端末が普及しつつあり、こうしたＶｏＩＰ端末をＩＳＤＮ回線に接続して、１つのＶｏＩＰ端末でインタネットを介するＶｏＩＰ通話とＩＳＤＮ網を介するＩＳＤＮ通話とを可能にすることが検討されている。
【０００５】
しかしながら、ＶｏＩＰ端末がＩＳＤＮ回線の２つのＢチャネルを介してマルチリンク通信を行っている場合には、ＶｏＩＰ端末のユーザが他の相手端末とＶｏＩＰ通話を行うための通話要求を行っても、ＩＳＤＮ回線の２つのＢチャネルが既に専有されているため、こうしたＶｏＩＰ通話要求が受付不可となる問題が発生する。このため、マルチリンク通信中にユーザのＶｏＩＰ通話要求を受け付けてユーザによるＶｏＩＰ通話とデータ通信とを可能にしたいという要望が生じている。
【０００６】
したがって、本発明は、マルチリンク通信中にユーザの他の相手へのＶｏＩＰ通話要求を受け付けてユーザによるＶｏＩＰ通話とデータ通信とを可能にすることを目的とする。
【０００７】
【課題を解決するための手段】
このような課題を解決するために本発明は、１つの制御チャネル及び少なくとも２つ以上の通信チャネルを有するＩＳＤＮ回線を介してＩＳＤＮ網に接続されＩＳＤＮ網を介するデータ通信及び通話が可能であるとともに、ＩＳＤＮ回線及びＩＳＤＮ網を介してインタネットに接続されインタネットを介するデータ通信及びＶｏＩＰ通話が可能な端末装置であって、インタネットに接続される第１の装置とＩＳＤＮ回線の２つの通信チャネルを用いたマルチリンク通信中に、インタネットに接続される第２の装置とＶｏＩＰ通話を行うための通話要求が発生すると、マルチリンク通信の使用帯域を検出するとともに、この検出結果に基づき第２の装置とのＶｏＩＰ通話に必要な空き帯域が確保可能か否かを判定する判定手段と、判定手段の判定結果に基づいてＩＳＤＮ回線の通信チャネルを制御する制御手段とを設け、制御手段は、判定手段により第２の装置とのＶｏＩＰ通話に必要な空き帯域が確保不可能と判定されると、ＩＳＤＮ回線の一方の通信チャネルを切断するとともに、この一方の通信チャネルを用いて第２の装置のＩＰアドレスをＩＳＰサーバに送って、他方の通信チャネルを介する第１の装置との間のデータ通信と、前記一方の通信チャネルを介する第２の装置との間のＶｏＩＰ通話とを可能にするものである。
【０００８】
この場合、第２の装置のＩＰアドレスの有無を検出する検出手段と、検出手段により第２の装置のＩＰアドレスが検出されない場合は、第１の装置との間の一方の通信チャネルを切断するとともに、前記制御チャネルを介して第２の装置にアクセスしＩＰアドレスを取得する取得手段とを設けたものである。
【０００９】
【発明の実施の形態】
以下、本発明について図面を参照して説明する。
図１は本発明に係る端末装置の構成を示すブロック図である。本端末装置は、ＶｏＩＰ（Ｖｏｉｃｅ  ｏｖｅｒ  Ｉｎｔｅｒｎｅｔ  Ｐｒｏｔｏｃｏｌ）端末と呼ばれ、ＩＳＤＮ網を介して音声通信及びデータ通信が可能であるとともに、ＩＳＤＮ網を介してインタネットに接続されインタネットを介して音声通信とデータ通信が可能な端末装置である。図１では、このＶｏＩＰ端末１が、制御チャネルであるＤチャネルと、２つの通信チャネルである２Ｂチャネル（Ｂ１，Ｂ２チャネル）を有するＩＳＤＮ回線Ｌに接続された例を示している。
【００１０】
本ＶｏＩＰ端末１には、図１に示すように、本ＶｏＩＰ端末１の全体を制御するＣＰＵ１１が設けられ、ＣＰＵ１１には、ダイヤルキー等の操作部１２と、各種の表示を行う表示部１３と、ＩＳＤＮ回線Ｌとのインタフェースである回線Ｉ／Ｆ１４と、音声信号を処理するアナログ信号制御部１５とが接続される。
【００１１】
アナログ信号制御部１５には、音声信号を出力するスピーカ１７と、ユーザの送話音声をアナログ信号制御部１５に送出するとともに、相手からの受話音声をユーザ側へ送出する送受話器１８とが接続される。また、回線Ｉ／Ｆ１４とアナログ信号制御部１５間には、回線Ｉ／Ｆ１４を介しＩＳＤＮ回線ＬのＢ１，Ｂ２チャネルの音声データをアナログ音声信号に変換してアナログ信号制御部１５に出力しスピーカ１７及び送受話器１８から受話音声信号として送出させるとともに、アナログ信号制御部１５を介する送受話器１８からのユーザの送話信号を音声データに変換して回線Ｉ／Ｆ１４を介しＩＳＤＮ回線ＬのＢ１またはＢ２チャネル側へ送出するＤＳＰ１６が設けられている。
【００１２】
次に以上のように構成されたＶｏＩＰ端末１の動作の概要を説明する。
ユーザがＶｏＩＰ端末１を用いてＩＳＤＮ網に接続される接続先と通話を行う場合は、オフフックし、かつ操作部１２を操作して接続先の電話番号をダイヤルする。すると、このオフフック情報及び操作部１２の操作情報がＣＰＵ１１に伝達され、この場合ＣＰＵ１１は操作部１２の操作に基づくダイヤル番号を回線Ｉ／Ｆ１４に送出し、回線Ｉ／Ｆ１４によるＩＳＤＮ回線ＬのＤチャネルを介するダイヤル発呼を行わせる。こうしたダイヤル発呼により接続先の呼出が行われ、接続先がこの呼出に応答すると、ユーザと接続先との間でＩＳＤＮ回線の例えばＢ１チャネルを介したＩＳＤＮ通話が行われる。
【００１３】
こうしたユーザと接続先との間で通話が行われる場合、ユーザのアナログ音声は送受話器１８及びアナログ信号制御部１５を介してＤＳＰ１６に送られＤＳＰ１６により音声データに変換された後、回線Ｉ／Ｆ１４及びＩＳＤＮ回線のＢ１チャネルを介して接続先側へ送られ、接続先の電話端末から受話信号として送出される。一方、ＩＳＤＮ回線ＬのＢ１チャネルを介する接続先側の音声信号に応じた音声データは、回線Ｉ／Ｆ１４を経由してＤＳＰ１６に送出され、ＤＳＰ１６によりアナログ音声信号に変換された後、アナログ信号制御部１５を経由してスピーカ１７及び送受話器１８に送られスピーカ１７及び送受話器１８から受話音声信号としてユーザ側へ送出される。
【００１４】
ここで、接続先の端末がデータ通信端末である場合は、ユーザはＶｏＩＰ端末１を用いて接続先の端末とデータ通信を行うこともでき、このような場合は、ＶｏＩＰ端末１のＣＰＵ１１は回線Ｉ／Ｆ１４及びＩＳＤＮ回線ＬのＢ１チャネルを介して接続先の端末とデータの通信を行う。そして、接続先側からのデータを回線Ｉ／Ｆ１４を介して受信すると表示部１３に表示する。こうしたデータ通信の場合、ＣＰＵ１１は発呼時に回線Ｉ／Ｆ１４を制御してＩＳＤＮ回線ＬのＤチャネルを介して２つのＢチャネルをデータ通信で使用する旨の情報をこのＩＳＤＮ回線Ｌと接続される図示しない交換網（ＩＳＤＮ交換網）側に送信させることにより、１つの接続先とＩＳＤＮ回線ＬのＢ１及びＢ２チャネルの２つのＢチャネルを用いたデータ通信（即ち、マルチリンク通信）を行うこともできる。１つのＢチャネルを用いた通信速度６４Ｋｂｐｓのデータ通信に対して、Ｂ１，Ｂ２チャネルを用いたマルチリンク通信は２倍の１２８Ｋｂｐｓの通信速度を有するため、短時間で大量のデータを通信することができる。
【００１５】
このように、ＶｏＩＰ端末１はこうしたＩＳＤＮ網を介する通話やデータ通信の他に、前述したようにＩＳＤＮ網を介してインタネットに接続され、インタネット上のサーバとデータ通信が可能であるとともに、インタネットを介して相手ＶｏＩＰ端末とＶｏＩＰ通話が可能である。
【００１６】
図２は、ＶｏＩＰ端末１がＩＳＤＮ回線及びＩＳＰ（Ｉｎｔｅｒｎｅｔ  Ｓｅｒｖｉｃｅ  Ｐｒｏｖｉｄｅｒ）サーバ２を介してインタネット上のコンピュータ３とＩＳＤＮ回線のＢ１，Ｂ２チャネルを用いたマルチリンク通信中に、インタネット上の相手ＶｏＩＰ端末４へのＶｏＩＰ通話要求が生じた場合の接続動作例を示す図である。
【００１７】
ここで、ＶｏＩＰ端末１がＩＳＰサーバ２にダイヤルアップ接続しＩＳＰサーバ２にコンピュータ３のＩＰアドレス（インタネットアドレス）を送ることによりインタネット上のコンピュータ３とＩＳＤＮ回線のＢ１，Ｂ２チャネルを用いたマルチリンク通信中に、相手ＶｏＩＰ端末４へのＶｏＩＰ通話要求が生じた場合、相手ＶｏＩＰ端末４のＩＰアドレスが既知でありかつコンピュータ３とマルチリンク通信中の使用帯域がＢ１，Ｂ２チャネルを合わせた全帯域１２８Ｋｂｐｓに達せず、ＶｏＩＰ通話に必要な帯域が十分確保できるときには、ＶｏＩＰ端末１は相手ＶｏＩＰ端末４のＩＰアドレスをＩＳＰサーバ２に送るとともに、ＩＳＰサーバ２との間の通信リンク上に図２（ａ）に示すように、コンピュータ３へのデータ用パケットａとともに、相手ＶｏＩＰ端末４へのＶｏＩＰ通話用パケット（音声パケット）ｂを送る。この場合、ＩＳＰサーバ２では、相手のＩＰアドレス（即ち、コンピュータ３のＩＰアドレスまたは相手ＶｏＩＰ端末４のＩＰアドレス）に応じてこれらのパケットを振り分ける。このようにして、ＶｏＩＰ端末１はコンピュータ３との間のマルチリンク通信と同時に相手ＶｏＩＰ端末４とＶｏＩＰ通話を行うことができる。
【００１８】
また、相手ＶｏＩＰ端末４のＩＰアドレスが既知でありかつ現在コンピュータ３とマルチリンク通信中の使用帯域がＢ１，Ｂ２チャネルを合わせた全帯域１２８Ｋｂｐｓに近くＶｏＩＰ通話に必要な帯域が確保できないときには、ＶｏＩＰ端末１は例えばＢ２チャネルを切断しかつ相手ＶｏＩＰ端末４のＩＰアドレスをＩＳＰサーバ２に送る。これにより、ＶｏＩＰ端末１は図２（ｂ）に示すように、Ｂ１チャネルを介してコンピュータ３とデータ用パケットａの送受信が可能になり、かつＢ２チャネルを介して相手ＶｏＩＰ端末４とＶｏＩＰ通話用パケットｂの送受信が可能になる。
【００１９】
このように、コンピュータ３とＢ１，Ｂ２チャネルを用いたマルチリンク通信中に、相手ＶｏＩＰ端末４へのＶｏＩＰ通話要求がありこのとき相手ＶｏＩＰ端末４のＩＰアドレスが既知である場合、ＶｏＩＰ端末１は、ＶｏＩＰ通話に必要な帯域が確保できるときには、データ用パケットａとＶｏＩＰ通話用パケットとを混在してＩＳＰサーバ２へ送り、ＩＳＰサーバ２によりデータ用パケットａはコンピュータ３へ、またＶｏＩＰ通話用パケットｂは相手ＶｏＩＰ端末４へそれぞれ振り分けさせるように構成したものである。また、ＶｏＩＰ端末１は、ＶｏＩＰ通話に必要な帯域が確保できないときには、Ｂ１，Ｂ２チャネルのうち一方のチャネルを切断するとともに、切断した一方のチャネルを用いてＶｏＩＰ通話用パケットｂを送信し、切断しない他方のチャネルによりデータ用パケットａを送信するように構成したものである。この結果、マルチリンク通信中のユーザから他の相手へのＶｏＩＰ通話要求があればこれが受け付けられて、ユーザのＶｏＩＰ通話とデータ通信とを同時に可能にすることができる。
【００２０】
次に、図３及び図４のシーケンス図を用い本発明の要部動作を説明する。まず、図３のシーケンス図に示す第１の動作から説明する。
図３のシーケンス図の動作は、マルチリンク通信中のＶｏＩＰ端末１から新たな相手ＶｏＩＰ端末４へのＶｏＩＰ通話要求が生じたときに相手ＶｏＩＰ端末４のＩＰアドレスが既知で、かつ前記マルチリンク通信における使用帯域が全帯域１２８Ｋｂｐｓに達せず、ＶｏＩＰ通話に必要な帯域が十分確保できる場合の動作を示すものである。
【００２１】
ユーザがＶｏＩＰ端末１を用いてＩＳＤＮ回線Ｌ及びＩＳＤＮ交換網（図示省略）を介してＩＳＰサーバ２にダイヤルアップ接続し、かつＶｏＩＰ端末１からＩＳＰサーバ２へコンピュータ３のＩＰアドレスを送ることにより、ＩＳＰサーバ２を介してコンピュータ３と前述したようなＩＳＤＮ回線ＬのＢ１，Ｂ２チャネルを介するデータ通信（即ち、マルチリンク通信）をステップＳ１で行っているものとする。このような状態で、ユーザが接続先のコンピュータ３との間のデータ通信を継続しつつ、新たな接続先である相手ＶｏＩＰ端末４と通話を行うためにステップＳ２でＶｏＩＰ接続要求を行うと、ＣＰＵ１１は、相手ＶｏＩＰ端末４のＩＰアドレスが既知でかつ前記マルチリンク通信の使用帯域が全帯域１２８Ｋｂｐｓに達せず、ＶｏＩＰ通話に必要な帯域が十分確保できると判断した場合は、回線Ｉ／Ｆ１４を介して相手ＶｏＩＰ端末４のＩＰアドレスをＩＳＰサーバ２に送る。これにより、ステップＳ３及びＳ４に示すように、ユーザはＩＳＰサーバ２を介してコンピュータ３とマルチリンク通信の継続が可能になるとともに、ＩＳＰサーバ２を介して相手ＶｏＩＰ端末４との間のＶｏＩＰ通話が可能になる。
【００２２】
次に図４のシーケンス図に基づいて本発明の第２の動作を説明する。図４のシーケンス図の動作は、マルチリンク通信中のＶｏＩＰ端末１から新たな相手ＶｏＩＰ端末４へのＶｏＩＰ通話要求が生じたときに相手ＶｏＩＰ端末４のＩＰアドレスが既知で、かつ前記マルチリンク通信における使用帯域が全帯域１２８Ｋｂｐｓに近く、ＶｏＩＰ通話に必要な帯域が確保できない場合の動作を示すものである。
【００２３】
ユーザがＶｏＩＰ端末１を用いてコンピュータ３と前述したようなＩＳＤＮ回線ＬのＢ１，Ｂ２チャネルを介するマルチリンク通信をステップＳ１１で行っているときに、ユーザが接続先のコンピュータ３との間のデータ通信を継続しつつ、新たな接続先である相手ＶｏＩＰ端末４と通話を行うためにステップＳ１２でＶｏＩＰ接続要求を行うと、ＣＰＵ１１は、相手ＶｏＩＰ端末４のＩＰアドレスが既知でかつ前記マルチリンク通信の使用帯域が全帯域１２８Ｋｂｐｓに近く、ＶｏＩＰ通話に必要な帯域が確保できないと判断した場合は、ステップＳ１３で回線Ｉ／Ｆ１４に対しＢ１，Ｂ２チャネルのうちの１つのＢチャネルの切断要求を行う。
【００２４】
すると、回線Ｉ／Ｆ１４はデータ通信で使用されているＢ１，Ｂ２チャネルのうちの例えばＢ２チャネルを切断する旨の情報をＩＳＤＮ回線ＬのＤチャネルを介して交換網側へ送信し、交換網からの切断完了を受信するとそのＢ２チャネルを空きチャネルに設定する回線切断処理をステップＳ１４で行う。そして、ステップＳ１５でＢ２チャネルの切断完了をＣＰＵ１１に通知する。ＣＰＵ１１はこの切断完了を受信すると、ステップＳ１６で切断表示を行うことによりユーザに報知する。このＢ２チャネルの切断は交換網からＩＳＰサーバ２側に伝達され、これにより、ＶｏＩＰ端末１とコンピュータ３間は、Ｂ１，Ｂ２チャネルを用いた通信速度１２８Ｋｂｐｓのデータ通信から１つのＢ１チャネルを用いた通信速度６４Ｋｂｐｓのデータ通信となる。
【００２５】
また、この場合、ＣＰＵ１１はＩＳＰサーバ２にダイヤルアップ接続するためにＩＳＰサーバ２のダイヤル番号を回線Ｉ／Ｆ１４に出力する発呼要求をステップＳ１７で行う。すると、回線Ｉ／Ｆ１４は、ＩＳＤＮ回線ＬのＤチャネルを介してこのダイヤル番号を送出し、交換網側からの発呼受付を受信すると空いているＢ２チャネルを使用チャネルとして設定する回線接続処理をステップＳ１８で行う。そして、ＣＰＵ１１に対しステップＳ１９でこのＢ２チャネルを発呼受付チャネルとして通知する。
【００２６】
ＣＰＵ１１は回線Ｉ／Ｆ１４から通知された発呼受付を受信すると、ステップＳ２０で回線Ｉ／Ｆ１４を制御することにより、前記ダイヤル発呼による呼出に応答したＩＳＰサーバ２との間でＢ２チャネルを通信リンクとして確立するためのＢチャネルリンク確立シーケンス処理を行い、かつこの処理によりＢ２チャネルが通信リンクとして確立されればステップＳ２１で接続確認表示を行うことにより、ユーザに報知する。そして、このとき相手ＶｏＩＰ端末４のＩＰアドレスがＩＳＰサーバ２側へ送られることにより、ステップＳ２２及びＳ２３に示すように、Ｂ１チャネルを介するＶｏＩＰ端末１とコンピュータ３間のデータ通信（通信速度６４Ｋｂｐｓのデータ通信）と、Ｂ２チャネルを介するＶｏＩＰ端末１と相手ＶｏＩＰ端末４間のＶｏＩＰ通話とが可能になる。
【００２７】
図５は、ＶｏＩＰ端末１の以上の動作を要約して示すフローチャートである。このフローチャートに基づきＶｏＩＰ端末１の動作をさらに詳細に説明する。
図５のステップＳ３１では、ＶｏＩＰ端末１とコンピュータ３とがＩＳＤＮ回線のＢ１，Ｂ２を用いたマルチリンク通信中であるとする。ここで、ユーザが相手ＶｏＩＰ端末４と通話するためにステップＳ３２でＶｏＩＰ通話要求を行うと、ＶｏＩＰ端末１はステップＳ３３で相手ＩＰアドレス（即ち、相手ＶｏＩＰ端末４のＩＰアドレス）が既知か未知かを判断する（相手ＩＰアドレスが既知か未知かは、例えば図示しないメモリに相手ＶｏＩＰ端末４のＩＰアドレスが登録されていれば既知、登録されていなければ未知と判断する）。
【００２８】
相手ＩＰアドレスがメモリに登録され既知の場合は、ＶｏＩＰ端末１はＢ１，Ｂ２チャネルを使用した前記マルチリンク通信の使用帯域を検出するとともに、この検出結果に基づきＶｏＩＰ通話に必要な空き帯域があるか否かをステップＳ３４で判断する。ここで、ＶｏＩＰ通話に必要な空き帯域があると判断した場合は、現在のコンピュータ３との間のマルチリンク通信を維持し（ステップＳ３５）、かつ相手ＶｏＩＰ端末４のＩＰアドレスをＩＳＰサーバ２へ送信することにより、相手ＶｏＩＰ端末４との間の通信リンクを確立させて相手ＶｏＩＰ端末４とＶｏＩＰ通話を開始する（ステップＳ３６）。
【００２９】
一方、ＶｏＩＰ通話に必要な空き帯域がなく帯域不足と判断するときには、ＶｏＩＰ端末１はマルチリンク通信で使用しているＢ１，Ｂ２チャネルの一方のＢチャネルを切断する１回線切断をステップＳ３７で行い、その切断したＢチャネルを相手ＶｏＩＰ端末４との間のＶｏＩＰ通話に確保する（ステップＳ３８）。そして、相手ＶｏＩＰ端末４のＩＰアドレスをＩＳＰサーバ２へ送信することにより、相手ＶｏＩＰ端末４との間の通信リンクを確立させて相手ＶｏＩＰ端末４とＶｏＩＰ通話を開始する（ステップＳ３６）。
【００３０】
次に、ＶｏＩＰ通話要求が行われたときに相手ＩＰアドレスがメモリに登録されておらず未知であり、したがってステップＳ３３の「相手アドレス既知？」が「Ｎ」と判定される場合は、マルチリンク通信の使用帯域を検出して記憶するとともに、マルチリンク通信で使用しているＢ１，Ｂ２チャネルの一方のＢチャネルをステップＳ４１で切断する。その後、ＶｏＩＰ端末１は、ＩＳＤＮ回線ＬのＤチャネルのＵＵＩ（ユーザ・ユーザ情報要素）を用いて相手ＶｏＩＰ端末４にＩＰアドレスを要求する（ステップＳ４２）。相手ＶｏＩＰ端末４は、このＩＰアドレス要求を受信するとＩＳＤＮ回線を介してＩＳＰサーバ２にアクセスしＩＰアドレスを取得する（ステップＳ４３）。ＶｏＩＰ端末１は、相手ＶｏＩＰ端末４がＩＳＰサーバ２から取得した相手ＶｏＩＰ端末４自身のＩＰアドレスを入力するとＤチャネルを切断する（ステップＳ４４）。
【００３１】
このようにしてＶｏＩＰ端末１は相手ＶｏＩＰ端末４のＩＰアドレスを取得すると、一方のＢチャネルが切断される前に検出され記憶されているマルチリンク通信の使用帯域に基づき、ＶｏＩＰ通話に必要な空き帯域があるか否かをステップＳ４５で判断する。そして、ＶｏＩＰ通話に必要な空き帯域があると判断した場合は、切断されているＢチャネルを復旧してコンピュータ３との間のマルチリンク通信に復帰し（ステップＳ４６）、かつ相手ＶｏＩＰ端末４のＩＰアドレスをＩＳＰサーバ２へ送信することにより、相手ＶｏＩＰ端末４との間の通信リンクを確立させて相手ＶｏＩＰ端末４とＶｏＩＰ通話を開始する（ステップＳ４７）。
【００３２】
一方、ＶｏＩＰ通話に必要な空き帯域がなくステップＳ４５の判定が「Ｎ」となるときには、ＶｏＩＰ端末１はステップＳ４１で切断したＢチャネルを相手ＶｏＩＰ端末４とのＶｏＩＰ通話に確保する（ステップＳ４８）。そして、相手ＶｏＩＰ端末４のＩＰアドレスをＩＳＰサーバ２へ送信することにより、相手ＶｏＩＰ端末４との間の通信リンクを確立させて相手ＶｏＩＰ端末４とＶｏＩＰ通話を開始する（ステップＳ４７）。
【００３３】
なお、本実施の形態では、回線Ｉ／Ｆ１４とＤＳＰ１６とを接続したが、両者間を接続せずにＤＳＰ１６とＣＰＵ１１とを接続するようにしても良い。この場合、送受話器１８からのアナログ音声信号はアナログ信号制御部１５，ＤＳＰ１６，ＣＰＵ１１，回線Ｉ／Ｆ１４からＩＳＤＮ回線Ｌに音声データとして送出する。また、ＩＳＤＮ回線Ｌからの音声データは回線Ｉ／Ｆ１４，ＣＰＵ１１，ＤＳＰ１６，アナログ信号制御部１５，送受話器１８にアナログ音声信号として送出される。
また、本実施の形態では、１つの制御（Ｄ）チャネルと２つの通信（通話）（Ｂ）チャネルからなるＩＮＳネット６４について説明したが、１つの制御（Ｄ）チャネルと２３の通信（通話）（Ｂ）チャネルからなるＩＮＳネット１５００についても同様に適用できる。
【００３４】
【発明の効果】
以上説明したように本発明によれば、１つの制御チャネル及び少なくとも２つ以上の通信チャネルを有するＩＳＤＮ回線を介してＩＳＤＮ網に接続されＩＳＤＮ網を介するデータ通信及び通話が可能であるとともに、ＩＳＤＮ回線及びＩＳＤＮ網を介してインタネットに接続されインタネットを介するデータ通信及びＶｏＩＰ通話が可能となるように構成された端末装置において、インタネットに接続される第１の装置とＩＳＤＮ回線の２つの通信チャネルを用いたマルチリンク通信中に、インタネットに接続される第２の装置とＶｏＩＰ通話を行うための通話要求が発生すると、マルチリンク通信の使用帯域を検出するとともに、この検出結果に基づき第２の装置とのＶｏＩＰ通話に必要な帯域が確保可能か否かを判定し、この判定結果に基づきＩＳＤＮ回線の通信チャネルを制御するようにしたので、ユーザが第１の装置とマルチリンク通信中に、ユーザから第２の装置とのＶｏＩＰ通話が要求された場合、こうしたＶｏＩＰ通話要求を受け付けてユーザの第１の装置とのデータ通信と第２の装置とのＶｏＩＰ通話を可能にすることができる。
【００３５】
この場合、第２の装置とのＶｏＩＰ通話に必要な帯域が確保可能と判定されると、ＩＳＤＮ回線のマルチリンク通信を維持するとともに、ＩＳＤＮ網を介し第２の装置のＩＰアドレスをＩＳＰサーバに送って第２の装置との間のＶｏＩＰ通話を可能にしたので、ユーザは一方の装置との間のマルチリンク通信を維持しながら他の装置とＶｏＩＰ通話を行うことができる。
また、第２の装置とのＶｏＩＰ通話に必要な帯域が確保不可能と判定されると、ＩＳＤＮ回線の一方の通信チャネルを切断するとともに、この一方の通信チャネルを用いて第２の装置のＩＰアドレスをＩＳＰサーバに送って、他方の通信チャネルを介する第１の装置とのデータ通信と、前記一方の通信チャネルを介する第２の装置とのＶｏＩＰ通話とを可能にしたので、ユーザは同様に第１の装置との間のデータ通信を行いながら第２の装置とＶｏＩＰ通話を行うことができる。また、第２の装置のＩＰアドレスが検出されない場合は、第１の装置との間の一方の通信チャネルを切断するとともに、前記制御チャネルを介して第２の装置にアクセスしＩＰアドレスを取得するようにしたので、第２の装置との通話時にそのＩＰアドレスが既知でなくてもそのＩＰアドレスを取得してプロバイダに送ることにより、第２の装置とＶｏＩＰ通話を行うことができる。
【図面の簡単な説明】
【図１】  本発明に係る端末装置の構成を示すブロック図である。
【図２】  前記端末装置の動作を説明する図である。
【図３】  前記端末装置の要部動作を示すシーケンス図である。
【図４】  前記端末装置の要部動作を示すシーケンス図である。
【図５】  前記端末装置の要部動作を示すフローチャートである。
【符号の説明】
１…ＶｏＩＰ端末、２…ＩＳＰサーバ、３…コンピュータ、４…相手ＶｏＩＰ端末、１１…ＣＰＵ、１２…操作部、１３…表示部、１４…回線Ｉ／Ｆ、１５…アナログ信号制御部、１６…ＤＳＰ、１７…スピーカ、１８…送受話器、Ｌ…ＩＳＤＮ回線、ａ…データ用パケット、ｂ…ＶｏＩＰ通話用パケット。
【図１】
0004146629.tif 000002
【図２】
0004146629.tif 000003
【図３】
0004146629.tif 000004
【図４】
0004146629.tif 000005
【図５】
0004146629.tif 000006